(57)【要約】      （修正有）【課題】床面及び地面にタイルなどを敷き並べてタイル床を構築するに際し、タイルが丁度整数枚納まる広さのタイルの敷地面積や部品の必要数を容易に割出すことができるとともに、見栄えの良い植栽をも可能とする簡易組立て式のプレート枠を提供する。【解決手段】床面及び地面にタイルなどを敷き並べて枠を構築するに際し、タイルが丁度整数枚納まる広さのタイルの敷地面を確定する床及び地面において、直線形状のプレート枠１と仕切り枠の二種類を組み合わせて正方形や長方形の他に十字形の所定の大きさの枠などを簡単に構成でき、枠体を先に配置させる事で、レイアウトを割出すことも簡単にでき、レイアウト変更などにも容易に対応できるものであって、室内のペット用品等への利用から屋上やベランダを始め庭園などの室外に対して汎用タイル等を枠内の空間に敷設できるだけでなく、芝生や草や花等も枠内の空間毎に分離してレイアウトできるものである。【選択図】図１
2013139683.tif 000002
【特許請求の範囲】
【請求項１】
タイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の長さ方向の一方の端部は、前記箱状部材１５の端部から突出しており、前記枠部３の突出部下面には、嵌合手段６が設けられ、該嵌合手段６に対面する第１の端面１７ａには、係合手段７ａが設けられ、前記箱状部材１５の長さ方向の他の端面１７ｂと側面１６の両方、もしくは片方には被嵌合手段２及び被係合手段８が設けられ、前記嵌合手段６と前記被嵌合手段２とが嵌合されると共に前記係合手段７ａと前記被係合手段８とが互いに係合されている事を特徴とするプレート枠。
【請求項２】
仕切り枠２１は、下側に開口する細長の箱状部材１５と、前記箱状部材１５の表面の幅方向中央より垂直に、且つ当該箱状部材１５の長さ方向に沿って立設された凸形状の枠部３を備え、前記枠部３の長さ方向の両端部は、前記箱状部材１５の端部から突出しており、前記枠部３の突出部下面には、嵌合手段６が設けられ、該嵌合手段６に対面する第１の端面１７ａには、係合手段７ａが設けられている事を特徴とするプレート枠。
【請求項３】
請求項１又は請求項２を構成する部品であるプレート枠１又は仕切り枠２１において、両側から係合手段７ａを挟むようにガイド手段５を構成している事を特徴とするプレート枠。
【請求項４】
請求項１又は請求項２を構成する部品であるプレート枠１又は仕切り枠２１において、上下方向２本のスリット１１を設け、これらのスリットに挟まれる部分に係合手段７ａを設けていることを特徴とするプレート枠。
【請求項５】
請求項１又は請求項２を構成する部品であるプレート枠１又は仕切り枠２１において、係合手段７ａを側面視した時、鋸刃の形状となっている後端傾斜部１３ｂを構成していることを特徴とするプレート枠。
【請求項６】
請求項１又は請求項２を構成する部品であるプレート枠１又は仕切り枠２１において、箱状部材１５の下側に楔９３が突出して構成していることを特徴とするプレート枠。
【請求項７】
請求項１又は請求項２を構成する部品であるプレート枠１又は仕切り枠２１において、下側に開口する細長の前記箱状部材１５の下端縁を切り欠いて形成される第１の水排出経路５３ａ及び第２の水排出経路５３ｂが設けられていることを特徴とするプレート枠。
【請求項８】
請求項１又は請求項２を構成する部品であるプレート枠１又は仕切り枠２１において、枠部３の付け根には、凹形状の水抜き穴５２を穿設していることを特徴とするプレート枠。
【請求項９】
請求項８を構成する部品であるプレート枠１又は仕切り枠２１において、水抜き穴５２を下から見た状態で、穴を塞ぐ板状の平面部５１が設けられていることを特徴とするプレート枠。
【発明の詳細な説明】
【技術分野】
【０００１】  本発明は、床面及び地面等に枠を構成しタイル等を敷き並べた空間を構築するに際し、枠体間の連結作業を容易にできる構造に関する。
【背景技術】
【０００２】  ベランダやバルコニー、屋上等の床面上には複数枚のタイルユニットが敷きつめられている。このタイルユニットの敷設構造としては、例えば特開平８−１５８６００号公報記載の技術がある。この技術では、タイルを１枚毎に支持する大きさに形成されているタイルユニットを採用しているので、床を構成する時に、床の寸法をタイル一枚単位で容易にかつ無駄が出ないように調整することができるという効果が得られる構造となっている。【０００３】  タイルユニット間の連結に関する技術には、特開平２００２−１２９７３６号公報記載の技術がある。この技術では、一方の床材の内壁側面と他方の床材の内壁側面とを挟み付ける連結部材によって連結されており、連結部材を取り外して、適宜、床材の個数を変えることでき、ユニット式床材の大きさを変更することができるという効果が得られる構造となっている。
【発明の概要】
【発明が解決しようとする課題】
【０００４】  しかしながら、特開平８−１５８６００号公報記載の技術では、無駄が出ないように調整する事を実現すべく、タイル１枚単位としており、他のサイズのタイルは、使用できないという不都合が生じてしまう欠点があった。【０００５】  また、特開平２００２−１２９７３６号公報記載の技術では、連結部材によってタイルユニット間を挟み込んで連結しているものの、小さな部品である連結部材をタイルユニットに追加して取付ける事となるので、作業性や部品の付け忘れ等の課題を有していた。そこで、連結用の別部品がなく、単純な作業で連結を確実にできる技術が求められていた。【０００６】  更に、タイルユニットの場合には、タイル自体のデザインが決められており、タイル材や木材などの汎用品を自由に選んで、デザインの拡充を図る事はできない。当然ながら、屋上、バルコニー、ベランダ、テラス、土間、コンクリート引きの廊下等にタイル敷設することができるタイルユニットであり、地球温暖化対策に向けて、二酸化炭素の排出量低減として効果のある芝生や草花もしくは木などの植物をその部品を使用して配列よく設置できるものではない。
【課題を解決するための手段】
【０００７】  本願の発明はこのような課題を解決する為になされ、その具体的解決手段として、従来のタイルユニットが、樹脂製のベースと、該ベース上に固着されたタイルを備えたタイルユニット同士を連結させる方法ではなく、樹脂製の枠体を分離し、枠体部品同士を簡単な作業で先行して連結して配置させる事で、レイアウト構成が容易にできるだけでなく、作業効率も向上し、様々な種類のタイルやブロックあるいは小さな石等の汎用品を自由に選んで構成でき、植物をも枠体に組込むことができる構造としたものである。
【発明の効果】
【０００８】  タイルやブロックなどが破損、あるいはレイアウトを変更する時の再設置作業では、変更したい部分だけを交換する事ができ、外観の見栄えを机上での確認に頼ることなく現場を見ながら容易に確認ができる。樹脂製の枠体は、タイルやブロック等を結合する目地と同様の外観となるので、自然な見栄えになると共に、水が枠体の上面に溜まらないような構造となっている。
【図面の簡単な説明】
【０００９】
【図１】本発明の実施形態１におけるプレート枠の斜視図
【図２】本発明の実施形態１におけるプレート枠連結状態の斜視図
【図３】本発明の実施形態１におけるプレート枠連結状態の断面図
【図４】本発明の実施形態１におけるプレート枠の連結構造の拡大図
【図５】本発明の実施形態１における仕切り枠の斜視図
【図６】本発明の実施形態１における連結構造の開始状態から完了状態までの構造図
【図７】本発明の実施形態１における連結構造の完了状態から開始状態までの構造図
【図８】本発明の実施形態１におけるプレート枠連結状態の斜視図
【図９】本発明の実施形態１におけるプレート枠連結状態とペットケージの斜視図
【図１０】本発明の実施形態１におけるプレート枠連結状態とネコ避け具の斜視図
【図１１】本発明の実施形態２におけるプレート枠の斜視図
【図１２】本発明の実施形態２におけるプレート枠の連結直前状態の斜視図
【図１３】本発明の実施形態２における仕切り枠の斜視図
【図１４】本発明の実施形態２におけるプレート枠の連結状態と仕切り枠の斜視図
【図１５】本発明の実施形態２におけるタイル敷設状態の斜視図
【図１６】本発明の実施状態２における使用状態例の斜視図
【図１７】本発明の実施形態２における連結応用状態例の斜視図
【図１８】本発明の実施形態３におけるプレート枠の斜視図
【図１９】本発明の実施形態３におけるプレート枠連結状態の斜視図
【図２０】本発明の実施形態３におけるプレート枠連結状態の拡大図
【図２１】本発明の実施形態３における使用状態例の斜視図
【図２２】本発明の実施形態４におけるタイルユニットの斜視図
【図２３】本発明の実施形態４におけるタイルユニットの拡大斜視図
【発明を実施するための形態】
【００１０】  以下、本発明の連結構造についての詳しい技術的構成を実施例に則して、かつ、図面を参照して具体的に説明する。
（実施形態１）
【００１１】  図面により、本発明を説明する。図１〜図１０は、本発明の実施形態１のプレート枠を説明する図ある。本発明の実施形態１において、プレート枠１は主要な合成樹脂製の構成部材である。例えば、合成樹脂の単独、あるいは、木屑、再生プラスチックス等の充填剤を高配合させたＰＥ、ＰＰ、ポリアミド等の可とう性のある合成樹脂、更には、耐候性安定剤や防虫剤などの添加剤を配合した合成樹脂等で構成すればよい。また、可とう性や耐候性のあるステンレスなどの金属を使用してもよい。
【００１２】  図１は、本発明の実施形態１におけるプレート枠の斜視図であり、プレート枠１は床面及び地面にタイル等を敷き並べて構築するに際し、タイルが丁度整数枚納まる広さのタイルの敷地面である床及び地面等において、プレート枠１で構成され、枠内にタイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の長さ方向の一方の端部は、前記箱状部材１５の端部から突出しており、前記枠部３の突出部下面には、嵌合手段６が設けられ、該嵌合手段６に対面する第１の端面１７ａには、係合手段７ａが設けられ、前記箱状部材１５の長さ方向の他の端面１７ｂと側面１６の両方、もしくは片方には被嵌合手段２及び被係合手段８が設けられ、前記嵌合手段６と前記被嵌合手段２とが嵌合されると共に、前記係合手段７ａと前記被係合手段８とが互いに係合される。
【００１３】  図２は、本発明の実施形態１におけるプレート枠連結状態の斜視図であり、同一形状のプレート枠１を５個使用して直線あるいは直角に連結させている図である。直線上あるいは直角上に連結する事により、様々な空間に沿った枠の構築が可能となる。図３は、本発明の実施形態１におけるプレート枠連結状態の断面図であり、プレート枠１を直線上に２個連結している断面図である。図４は、本発明の実施形態１におけるプレート枠の連結構造の拡大図である。結合の構造は、係合手段７ａが被係合手段８に係合する事により実現している。尚、直線上に連結する場合では、前記係合手段７ａが、第２の端面１７ｂにある被係合手段８に係合する。直角に連結する場合は、前記係合手段７ａが、左右其々の側面１６にある被係合手段８に係合する事で、左側への曲がりもしくは右側への曲がりの２通りが実施可能になる。
【００１４】  図５は、本発明の実施形態１における仕切り枠の斜視図である。プレート枠１にて構成される部品に、仕切り枠２１を組み込む構造であって、前記仕切り枠２１は、下側に開口する細長の箱状部材１５と、前記箱状部材１５の表面の幅方向中央より垂直に、且つ当該箱状部材１５の長さ方向に沿って立設された凸形状の枠部３を備え、前記枠部３の長さ方向の両端部は、前記箱状部材１５の端部から突出しており、前記枠部３の突出部下面には、嵌合手段６が設けられ、該嵌合手段６に対面する第１の端面１７ａには、係合手段７ａが設けられ、前記嵌合手段６とプレート枠１にある被嵌合手段２とが嵌合されると共に、前記係合手段７ａとプレート枠１にある被係合手段８とが互いに係合される。仕切り枠２１は、プレート枠１を複数個使用して出来上がった枠同士を連結あるいは分割する為の仕切りとしての用途に使用する部品であり、詳細については後述する。
【００１５】  図６は、本発明の実施形態１における連結構造の開始状態から完了状態までの構造図であり、プレート枠１同士を連結するまでの過程の構造を説明する図であり、図６の（ａ）から、（ｂ）⇒（ｃ）⇒（ｄ）に移行する。図６の（ａ）は、連結構造の開始状態であり、プレート枠１にある嵌合手段（ガイド柱）６が、被嵌合手段（穴）２に挿入される直前の状態を示している。図６の（ｂ）は、前記嵌合手段（ガイド柱）６が、被嵌合手段（穴）２に挿入された後、係合手段７ａが被係合手段８に当接した状態を示している。図６の（ｃ）は、係合手段７ａが被係合手段８に当接した後、係合手段７ａにある前端傾斜部１３ａの傾斜によって、係合手段７ａの突出している高さ寸法分だけロックアーム部７ｂが係合手段７ａの突出方向とは反対側に変形し、被係合手段８との干渉がなくなり、更に深い位置まで挿入可能な状態となる。
【００１６】  プレート枠１又は仕切り枠２１は、係合手段７ａの両側にスリット１１が設けられ、前記係合手段７ａの突出方向の反対側には、空間部１４を構成している。ロックアーム部７ｂは、係合手段７ａの突出方向とは反対側に変形する構造となっている。図６の（ｄ）は、被係合手段８が係合手段７ａを通過し、係合手段７ａがロック空間部８ａの位置に移動し、被係合手段８と係合され、プレート枠１同士の連結が完了する。
尚、係合手段７ａが被係合手段８に係合される際、ロック部７にあるロックアーム部７ｂは、係合手段７ａの突出方向とは反対側に変形し、係合された時に元の位置に復帰する構造となっている。その復帰の際に、ロックアーム部７ｂは、反力によって被係合手段８と接触し、小さな振動が発生し、太鼓と同様の効果から『カチッ』という係合音も発するので、係合を触感と音の両方で確認する事ができる構造である。
【００１７】  図７は、本発明の実施形態１における連結構造の完了状態から開始状態までの構造図であり、プレート枠１同士が連結されている状態から解除される事により分離するまでの過程の構造を説明する図であり、図７の（ａ）から、（ｂ）⇒（ｃ）⇒（ｄ）に移行する。図７の（ａ）は、プレート枠１同士が連結されている状態であり、係合手段７ａは被係合手段８と係合されている。係合手段７ａを側面視した時、鋸刃の形状となっている後端傾斜部１３ｂを構成しており、図７の（ｂ）は、係合手段７ａがロック空間部８ａの位置から被係合手段８に当接し、係合手段７ａにある後端傾斜部１３ｂの傾斜を滑る事によって、ロックアーム部７ｂが係合手段７ａの突出方向の反対側に変形し、離脱可能な状態となる。
図７の（ｃ）は、係合手段７ａが、被係合手段８との係合が解除され、ロックアーム部７ｂが変形された状態から初期位置に戻り、プレート枠１同士との連結の状態から分離された状態である。図７の（ｄ）は、図６の（ａ）の状態と同じであり、嵌合手段（ガイド柱）６が、被嵌合手段（穴）２に挿入されていた状態から抜けて分離される。以上の様に、係合手段７ａは被係合手段８と係合されて連結された状態から、係合手段７ａに後端傾斜部１３ｂとスリット１１及び空間部１４が設ける事で、係合状態から軽い力で解除する事が可能となり、作業ミスやレイアウトの変更に対して、解除作業性に優れた構造を実現している。
【００１８】  図８は、本発明の実施形態１におけるプレート枠連結状態の斜視図であり、第１のプレート枠１ａを４個、第２のプレート枠１ｂを４個使用した実施例である。第１のプレート枠１ａの長さは、第１のプレート枠１ａ＜第２のプレート枠１ｂの寸法関係となっていると共に、第１のプレート枠１ａを４個と第２のプレート枠１ｂを４個が連結されて略正方形の形状の枠となった状態で、第１のプレート枠１ａで構成された枠の内側に、第２のプレート枠１ｂで構成された枠が隣接する状態となり、第１のプレート枠１ａの枠部３と第２のプレート枠１ｂの枠部３の間には、第１のプレート枠１ａの箱状部材１５と第２のプレート枠１ｂの箱状部材１５によって、凹部２０が形成される。
【００１９】  図９は、本発明の実施形態１におけるプレート枠連結状態とペットケージの斜視図であり、ペットケージ１９に図８で完成した第１のプレート枠１ａと第２のプレート枠１ｂで完成した連結した枠を利用可した実施例であり、凹部２０にペットケージ１９を嵌めこんで使用する事により、室内でのペット飼育の際にケージとしての利用が可能となる。更に、図１０は、本発明の実施形態１におけるプレート枠連結状態とネコ避け具の斜視図であり、プレート枠１を４個使用した実施例である。プレート枠１を連結した枠を利用し、ネコ避け具１２を枠の内部に設置している。ネコ避け具１２は、ネコ避け具本体１８ａからネコ避け具突起１８ｂが突出し、ネコ避け具突起１８ｂの突出方向とは反対側で、且つ、ネコ避け具本体１８ａの外周面にネコ避け具支柱１８ｃが構成されている。猫が侵入しようとした場合には、ネコ避け具突起１８ｂによって、阻止する事ができる構造となっている。
更に、ネコ避け具本体１８ａの外周面だけにネコ避け具支柱１８ｃを構成する事で、猫が侵入した際に、ネコ避け具本体１８ａは、ネコ避け具支柱１８ｃの下側にない部分では、ネコ避け具支柱１８ｃの突出方向に変形するので、ネコ避け具本体１８ａの元の位置に戻ろうとする反力も加わり、ネコ避け具として高い効果が見込める構造となっている。
（実施形態２）
【００２０】  図１１〜図１７は、本発明の実施形態２のプレート枠を説明する図ある。尚、本発明の実施形態１と実施形態２の主な相違点は、実施形態１におけるプレート枠は、所定の空間を枠で囲む構造であり、主にテーブルや床等の平坦な形状に使用し、枠を壁として使用する役割を持っており、ペットケージ等に利用できるものであったのに対し、実施形態２は、屋上、バルコニー、ベランダ、テラス、土間、コンクリート引きの廊下などの敷地面が平らで比較的固くなっている場所に枠として使用するものであり、雨水等に対する排水構造もある。図１１は、本発明の実施形態２における第３のプレート枠の斜視図であり、第３のプレート枠４１にある枠部３の付け根には、凹形状の水抜き被嵌合手段（穴）５２を穿設しており、且つ、下側に開口する細長の前記箱状部材１５の下端縁を切り欠いて形成される第１の水排出経路５３ａ及び第２の水排出経路５３ｂが設けられている。
【００２１】  図１２は、本発明の実施形態２におけるプレート枠の連結直前状態の斜視図であり、枠内にはタイルや石材ブロック、木製タイル、人工芝、芝生養成ブロック等に使用できるものである。また、第３のプレート枠４１にある水抜き穴５２及び第１の水排出経路５３ａ、第２の水排出経路５３ｂは、水が浸入した際の水抜き経路となっている。例えば、タイル床上面に水がこぼれた場合、タイル等から外周に水が流れ、タイル等と第３のプレート枠４１に設けられている枠３との間に流れ、水抜き穴５２を経由して第１の水排出経路５３ａ、第２の水排出経路５３ｂを通過して、枠外に排水される構造となっている。
【００２２】  図１２の（ｂ）は、本発明の実施形態２におけるプレート枠の連結直前状態の斜視図であり、第４のプレート枠４１ａの長さは、第３のプレート枠４１の約２倍の長さとなっており、図１２の（ａ）及び図１２の（ｂ）が連結された状態での枠は同面積となる。この様に、本発明の連結構造は、第３のプレート枠４１及び第４のプレート枠４１ａの様に、長さ寸法が異なっている部品同士でも、連結する事が可能な構造となっており、組合せによって様々な大きさの枠で囲まれた空間を実現できるものである。
【００２３】  図１３は、本発明の実施形態２における仕切り枠の斜視図であり、第１の仕切り枠６１は、第３のプレート枠４１にて構成された枠で囲まれた空間に、第１の仕切り枠６１を組み込む構造であって、第１の仕切り枠６１は、下側に開口する細長の箱状部材１５と、箱状部材１５の表面の幅方向中央より垂直に、且つ当該箱状部材１５の長さ方向に沿って立設された凸形状の枠部３とを備えている。枠部３の長さ方向の端部には、各々枠部３と反対面に嵌合手段（ガイド柱）６が突出して構成されていると共に、第１の端面１７ａには係合手段７ａが第１の端面１７ａから突出して構成されている。枠部３の付け根には、凹形状の水抜き穴５２を穿設しており、且つ、下側に開口する細長の前記箱状部材１５の下端縁を切り欠いて形成される第１の水排出経路５３ａが設けられている。
【００２４】  図１４は、本発明の実施形態２におけるプレート枠の連結状態と仕切り枠の斜視図であり、図１４の（ａ）は、第３のプレート枠４１を６個使用して出来上がった長方形の枠になっている。図１４の（ｂ）は、第３のプレート枠４１だけを使用して出来上がった長方形の枠に第１の仕切り枠６１を１個組込む事により、正方形の枠を２箇所に構成したものである。タイルの市場品での縦横寸法は、３００×３００ｍｍが最も多くの種類が揃っており、他に２００×２００ｍｍや４５０×４５０ｍｍ、６００×６００ｍｍなど正方形のものが中心となっているものの、３００×６００ｍｍといった長方形の商品もあり、第１の仕切り枠６１と併せて使用する事で、更に、バリエーションに富んだ使い方ができるものである。
【００２５】  図１５は、本発明の実施形態２におけるタイル敷設状態の斜視図であり、図１５の（ａ）は、第３のプレート枠４１を１６個、第１の仕切り枠６１を８個使用して出来上がった正方形の枠が９つ出来上がった状態である。枠に使用するタイルでは、最も種類が豊富な３００×３００ｍｍの場合、図１５の（ｂ）にある隙間Ｄはどの程度の寸法になるのかを確認する為に、タイルの外観寸法の調査を実施した。調査数は、２２種類であり、縦・横寸法が共に３００ｍｍ以下であった製品が最も多く、１４種類となった。また、縦・横が共に３００ｍｍ以上であった製品は、２種類とあり、ほぼ表示と同じ寸法のタイルは、６種類であった。尚、最も寸法が小さかった製品の縦・横寸法は、２９６ｍｍであり、最も大きい製品の寸法は、３０４ｍｍという結果となった。全長で８ｍｍの差となり、最大寸法品と最小寸法品を一緒に使用した際の隙間Ｄ寸法は４ｍｍとなる事が確認できた。
【００２６】  図１５は、枠が完成した後、正方形タイル標準７０及び正方形タイル大７０ａと正方形タイル小７０ｂを各３個敷設している。図１５の（ｂ）は、正方形タイル標準７０及び正方形タイル大７０ａと正方形タイル小７０ｂを各３個敷設した状態の斜視図である。従って、市販されている多くの種類の汎用品を単純に敷き並べてタイル等を配置した場合、隣接間に少なくとも４ｍｍの隙間が生じてしまうので、縦・横寸法の実測値を確認して使用する必要があり、隙間防止による見栄えや雑草対策という点で同じ寸法の製品にせざるを得ないという課題を持っていた。しかしながら、仮に同一の大きさのタイル等で配列したとしても、タイル間に土が挟まり込んでしまい、タイル間の隙間を完全になくす事はできず、結果として、雑草が生え、見栄えという点での課題と、その対策として草刈り作業が必要となってしまう問題を抱えていた。
【００２７】  しかしながら、図１５の（ａ）の様に、第３のプレート枠４１と第１の仕切り枠６１を使用した場合には、タイルの縦・横寸法が異なっていた場合でも、タイルが箱状部材１５の上に乗るので、土とタイルの間には箱状部材１５が存在している為、箱状部材１５によって土の露出を防止する事が可能となり、雑草対策という点で大きな効果を発揮する事が可能である。また、当然ながら隙間が目立つ事なく、見栄え良く配置できるものである。
尚、第３のプレート枠４１と第１の仕切り枠６１にある枠部３の付け根には、凹形状の水抜き穴５２を穿設しており、この部分から雑草が生えてしまう懸念があるが、図１１及び図１３に示す様に、水抜き穴５２を下から見た状態で、穴を塞ぐ板状の平面部５１が設けられており、雑草の生育を阻止している。
【００２８】  更に、市場汎用品におけるタイルなどの高さは、２０ｍｍ〜４０ｍｍのものが主体となっている。第３のプレート枠４１及び第１の仕切り枠６１にある枠３の高さ寸法は、タイルの高さ寸法に対して低く設定する事で、タイルの重さによりタイルの底部が第３のプレート枠４１及び第１の仕切り枠６１の箱状部材１５を常に押さえる状態になるので、第３のプレート枠４１及び第１の仕切り枠６１が浮き上がり、敷設状態の変形を防止している。
【００２９】  第３のプレート枠４１及び第１の仕切り枠６１には、第１の水排出経路５３ａが構成されている。枠の連結が完成した状態で、同軸位置になるので、水の排出経路は、蛇行する事なくスムーズになる。仮に、大量の水によって一時的に箱状部材１５の開口部に水が溜まる事態となった場合でも、第３のプレート枠４１及び第１の仕切り枠６１にある箱状部材１５によって、タイルの高さ位置を底上げしていると共に、排水の空間も確保されている構造からタイルが浸水する可能性は極めて低い構造となっている。その結果、腐食しやすい木材を使用したタイルを使用した場合でも、直下置きに比べ、使用年数を大幅に長くできるものである。尚、第１の水排出経路５３ａは半円形状となっており、第３のプレート枠４１及び第１の仕切り枠６１共に、ほぼ同じ場所に貫通している。パイプに温水などを通す時に第１の水排出経路５３ａの位置にパイプを沿わせることにより、床下に装置を取付けて床暖房効果を得ることも可能な構造となっている。
【００３０】  また、本発明は既存のタイルと合成樹脂できたユニット構造ではなく、一種類の部材でできた枠を構成する部品であり、連結した状態から容易に分解可能な構造となっており、材料資源の再利用にも有効な構造である。更に、エコキャップ運動と連動して再資源化を実施することも可能であり、地球温暖化対策に向けた二酸化炭素の排出低減に大きく貢献できるものである。
【００３１】  図１６は、本発明の実施状態２における使用状態例の斜視図であり、図１６（ａ）は、フェンス８０がある屋上やバルコニーに第３のプレート枠４１と第４のプレート枠４１ａ及び第１の仕切り枠６１と第２の仕切り枠６１ａを組合せて構成されている。図１６（ｂ）は、長方形タイル大７１を１個、長方形タイル中７２を１個、長方形タイル小７３を５個、木製タイル７４を６個、芝生養成キッド７５を５個組合せて敷設した状態の図である。この実施例の様に、様々な寸法Ａ及び寸法Ｂのタイルを使用して、手軽に組立てや解体ができるので、生活スタイルの変化に応じた楽しみ方に変更できる。また、図１７の本発明の実施形態２における連結応用状態例の斜視図では、第５のプレート枠４１ｂにおいて嵌合手段（ガイド柱）６を被嵌合手段（穴）２ｄや被嵌合手段（穴）２ｅに挿入すれば、略４５度方向にも連結が可能である。
（実施形態３）
【００３２】  本発明の第３実施形態について図１８〜図２１を用いて説明する。尚、本発明の実施形態１と実施形態３の主な相違点は、実施形態２の水抜き穴５２に加え、図１８の本発明の実施形態３における第６のプレート枠の斜視図より、第６のプレート枠８１にある楔９３が構成されている点である。楔９３は、箱状部材１５の下側に突出している。図１９は、本発明の実施形態３におけるプレート枠連結状態の斜視図であり、第６のプレート枠８１を６個連結させて枠体としている。尚、第６のプレート枠８１で構成された枠の内側は、タイルなどを載せていない場合には、土となっているが、楔端部９４同士が隣接する事で、第６のプレート枠８１同士の隙間を最小限に抑制している。
【００３３】  庭や公園等にレンガ等の形が決まっている部品をモルタル等により接着をしないまま使用した場合には、部品の寸法バラツキや隣接面の凹凸により、レンガ等の境には隙間が出来てしまい、芝生や草花等を植える場合には、土がレンガ等の間に挟まってしまいレンガを汚し、美観を損ねてしまうという課題があった。出来上がった枠内に芝生を植えたとしても、芝根がレンガ等の境を通過して、広範囲に広がってしまうという問題があった。しかしながら、第６のプレート枠８１に設けられた楔９３は、連結された場合でも隣接した楔９３同士間の隙間を最小限で抑え、芝生の根を隣接した場所へ伸びない様にする役割を持っている。尚、楔９３は第６のプレート枠８１を地面へ固定させる機能も併せ持っている。
【００３４】  図２０は、本発明の実施形態３におけるプレート枠連結状態の拡大図であり、図２０（ｂ）には、第６のプレート枠８１同士間の連結位置に隙間７９が図示されている。第６のプレート枠８１の第１の端面１７ａには係合手段７ａの両側にガイド手段５が構成されている。
尚、ガイド手段５と被ガイド手段４は、片方が突出し、もう片方が引込んでいる形状となっている。仮に微小粒子の土が、僅かな隙間７９に侵入したとしても、被ガイド手段４にガイド手段５が、沿った状態で、且つ、隙間７９と直角方向になる部位が４箇所も設けられており、その構造から、微小粒子の土の侵入を大幅に低減できる構造を実現している。
この様に、第６のプレート枠８１を使用した場合には、芝生の根が隣接した場所へ侵入しにくく、微小粒子の土の侵入をも防止できるので、第６のプレート枠８１を使用すれば、芝生を育成したい範囲だけに限定できるので、植物への管理に対する手間も少なく、デザイン性にも優れた見栄えが優れたガーデニング環境を提供できるものである。
【００３５】  図２１は、本発明の実施形態３における使用状態例の斜視図であり、第６のプレート枠８１の他に人工木材７６、石製タイル７７、木製タイル７８で構成されている。最近は、資源の有効利用の一環として、木粉を混入させたプラスチック材を用いた人工木材が使用され始めている。また、石製や木製のタイル、レンガ、ガーデン枕木、小さな石も使用可能な構造となっている。更に、芝生や草花等を枠内で混在させて育成する事も可能となるので、創意工夫をしながら庭園を構築する事が可能なものである。また、雨水等の排水に対しては、水抜き穴５２から地面に直接排出される。尚、水抜き穴５２から雑草が生える事を防止策として、水抜き穴５２の真下には平面部５１を設けており、対策が施されている。
（実施形態４）
【００３６】  本発明の第４実施形態について図２２〜図２３を用いて説明する。尚、本発明の実施形態１と実施形態４の主な相違点は、実施形態１におけるプレート枠は、４個以上のプレート枠１を連結して正方形や長方形の空間を枠で囲む構造であるのに対して、実施形態４は、タイルとタイル間の結合構造を持つタイルユニット１０１に、その連結させる構造を使用した点にある。図２２は、本発明の実施形態４におけるタイルユニットの斜視図であり、タイルユニット１０１には、ユニット用タイル１０２、被ガイド手段４、嵌合手段（ガイド柱）６、箱状部材１５が構成されている。
【００３７】  図２３は、本発明の実施形態４におけるタイルユニットの拡大斜視図であり、タイルユニット１０１には、被嵌合手段（穴）２、被ガイド手段４、ガイド手段５、嵌合手段（ガイド柱）６、係合手段７ａ、ロックアーム部７ｂ、被係合手段８、ロック空間部８ａが設けられている。更に、水の排水を目的としてタイルユニットの底上げ突起１０９が設けられている。以上の様に、本発明の連結構造は、枠で囲む構造を実現するだけでなく、タイルユニットへの連結構造としても使用可能な技術である。
【産業上の利用可能性】
【００３８】  本発明は、直線形状のプレート枠１と仕切り枠２１の二種類を組み合わせることにより、正方形や長方形の他に十字形等の所定の大きさの枠などを簡単に構成でき、枠体を先に配置させる事で、レイアウトを割出すことも簡単にでき、レイアウト変更等にも容易に対応可能なものであって、室内のペット用品等への利用から屋上やベランダを始め庭園等の室内や室外に対してタイル等を敷設できるものであって、タイルの他に小さな石や芝生あるいはガーデン枕木等の汎用品を使用者自身の選択で、自由に選ぶことができるので、デザイン性も豊かにできる利点があり、芝生や草や花等も枠内の空間毎に分離してレイアウトできるものである。【００３９】  尚、プレート枠１と仕切り枠２１は、樹脂等の軽い材質でできていると共に、嵌合手段（ガイド柱）６を被嵌合手段（穴）２に嵌め込むだけのイメージで設置作業も簡単にでき、効率的であり、拡張や変更にも容易に対応できるものである。更に、構成部品すべてが単種類の樹脂材料での構成であり、連結の着脱が簡単の為、材料の再利用が実施し易く、資源の有効利用価値に優れた技術である。特に、植物育成を行う枠体を構成できる構造となっているので、二酸化炭素の排出低減による地球温暖化対策としての効果を持つ有効な構造を手軽に実現することができる。
【符号の説明】
【００４０】  １          ・・・・プレート枠
２          ・・・・被嵌合手段（穴）
３          ・・・・枠部
４          ・・・・被ガイド手段
５          ・・・・ガイド手段
６          ・・・・嵌合手段（ガイド柱）
７ａ        ・・・・係合手段
７ｂ        ・・・・ロックアーム部
８          ・・・・被係合手段
８ａ        ・・・・ロック空間部
９          ・・・・台座
１１        ・・・・スリット
１３ａ      ・・・・前端傾斜部
１３ｂ      ・・・・後端傾斜部
１４        ・・・・空間部
１５        ・・・・箱状部材
１６        ・・・・側面
１７        ・・・・端面
２１        ・・・・仕切り枠
５２        ・・・・水抜き穴
９３        ・・・・楔部
【図１】
2013139683.tif 000003
【図２】
2013139683.tif 000004
【図３】
2013139683.tif 000005
【図４】
2013139683.tif 000006
【図５】
2013139683.tif 000007
【図６】
2013139683.tif 000008
【図７】
2013139683.tif 000009
【図８】
2013139683.tif 000010
【図９】
2013139683.tif 000011
【図１０】
2013139683.tif 000012
【図１１】
2013139683.tif 000013
【図１２】
2013139683.tif 000014
【図１３】
2013139683.tif 000015
【図１４】
2013139683.tif 000016
【図１５】
2013139683.tif 000017
【図１６】
2013139683.tif 000018
【図１７】
2013139683.tif 000019
【図１８】
2013139683.tif 000020
【図１９】
2013139683.tif 000021
【図２０】
2013139683.tif 000022
【図２１】
2013139683.tif 000023
【図２２】
2013139683.tif 000024
【図２３】
2013139683.tif 000025
【手続補正書】
【提出日】平成24年6月3日(2012.6.3)
【手続補正１】
【補正対象書類名】特許請求の範囲
【補正対象項目名】全文
【補正方法】変更
【補正の内容】
【特許請求の範囲】
【請求項１】
タイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の長さ方向の一方の端部は、前記箱状部材１５の端部から突出しており、前記枠部３の突出部下面には、嵌合手段６が設けられ、該嵌合手段６に対面する第１の端面１７ａには、係合手段７ａが設けられ、前記箱状部材１５の長さ方向の他の端面１７ｂと側面１６の両方、もしくは片方には被嵌合手段２及び被係合手段８が設けられ、前記嵌合手段６と前記被嵌合手段２とが嵌合されると共に前記係合手段７ａと前記被係合手段８とが互いに係合される事を特徴とするプレート枠
【請求項２】
請求項１を構成する部品であるプレート枠１において、両側から係合手段７ａを挟むようにガイド手段５を構成している事を特徴とするプレート枠。
【請求項３】
請求項１を構成する部品であるプレート枠１において、上下方向２本のスリット１１を設け、これらのスリットに挟まれる部分に係合手段７ａを設けていることを特徴とするプレート枠。
【請求項４】
請求項１を構成する部品であるプレート枠１において、係合手段７ａを側面視した時、鋸刃の形状となっている後端傾斜部１３ｂを構成していることを特徴とするプレート枠。
【請求項５】
請求項１を構成する部品であるプレート枠１において、箱状部材１５の下側に楔９３が突出して構成していることを特徴とするプレート枠。
【請求項６】
請求項１を構成する部品であるプレート枠１において、下側に開口する細長の前記箱状部材１５の下端縁を切り欠いて形成される第１の水排出経路５３ａ及び第２の水排出経路５３ｂが設けられていることを特徴とするプレート枠。
【請求項７】
請求項１を構成する部品であるプレート枠１において、枠部３の付け根には、凹形状の水抜き穴５２を穿設していることを特徴とするプレート枠。
【請求項８】
請求項７を構成する部品であるプレート枠１において、水抜き穴５２を下から見た状態で、穴を塞ぐ板状の平面部５１が設けられていることを特徴とするプレート枠。